(57)【要約】【課題】本発明の課題は、加熱対象物を加熱して或る状態にするまでに必要な時間を認識することができる容器付き加熱機器を提供することにある。【解決手段】本発明に係る容器付き加熱機器１００は、「容量を示すための容量表示Ｄｖを少なくとも１つ有する容器３２１」と、「前記容器内の内容物を加熱するための加熱源３２２」とを備え、前記容器は、前記加熱源により前記容量表示に対応する容量の特定の前記内容物を第１状態にするまでにかかる時間を示すための時間表示Ｄｔをさらに有する。【選択図】図２
2020130461.tif 000002
【特許請求の範囲】
【請求項１】
容量を示すための容量表示を少なくとも１つ有する容器と、
前記容器内の内容物を加熱するための加熱源と、を備え、
前記容器は、前記加熱源により前記容量表示に対応する容量の特定の前記内容物を第１状態にするまでにかかる時間を示すための時間表示をさらに有する、容器付き加熱機器。
【請求項２】
前記容器には、前記容量に対応する位置に目盛表示が設けられ、
前記容量表示および前記時間表示は、前記目盛表示の近傍に配置されており、
前記時間表示の表示態様は、前記容量表示の表示態様と異なる、請求項１に記載の容器付き加熱機器。
【請求項３】
前記容量表示は、前記目盛表示の第１側端側に配設されており、
前記時間表示は、前記目盛表示の前記第１側端側と反対側の第２側端側に配設されている、請求項２に記載の容器付き加熱機器。
【発明の詳細な説明】
【技術分野】
【０００１】
本発明は、例えば、水等の液体等を加熱して湯等の加熱液体を生成する容器付き加熱機器（例えば、電気ケトルや電気ポット）に関する。
【背景技術】
【０００２】
電気ケトルや電気ポット等の湯沸し器では、通常、容器の内側面や水量窓等に水量目盛や制限水量目盛が表示されている（例えば、特開２０１１−２１２３７６号公報、特開２０１２−１０１００４号公報等参照）。
【先行技術文献】
【特許文献】
【０００３】
【特許文献１】特開２０１１−２１２３７６号公報
【特許文献２】特開２０１２−１０１００４号公報
【発明の概要】
【発明が解決しようとする課題】
【０００４】
ところで、通常、電気ケトルや電気ポット等の湯沸し器では、容器に水を注いでスイッチを入れる際にその湯沸し時間がわからない。このため、電気ケトル等の使用者は、自身の時間感覚で湯沸し時間を推定するより他なく、場合によってはその者の貴重な時間を浪費することがある。
【０００５】
本発明の課題は、加熱対象物を加熱して或る状態にするまでに必要な時間を認識することができる容器付き加熱機器を提供することにある。
【課題を解決するための手段】
【０００６】
本発明に係る容器付き加熱機器は、
容量を示すための容量表示を少なくとも１つ有する容器と、
前記容器内の内容物を加熱するための加熱源と、を備え、
前記容器は、前記加熱源により前記容量表示に対応する容量の特定の前記内容物を第１状態にするまでにかかる時間を示すための時間表示をさらに有する。
【０００７】
上記構成によれば、容器に液体を注ぐ際に容量表示を見ると共に時間表示を見ることができる。このため、この容器付き加熱機器の使用者は、加熱対象物を加熱して或る状態にするまでに必要な時間を認識することができる。
【０００８】
本発明では、
前記容器には、前記容量に対応する位置に目盛表示が設けられ、
前記容量表示および前記時間表示は、前記目盛表示の近傍に配置されており、
前記時間表示の表示態様は、前記容量表示の表示態様と異なると好適である。
【０００９】
上記構成によれば、時間表示と容量表示との誤認を防ぎやすくすることができる。
【００１０】
本発明では、
前記容量表示は、前記目盛表示の第１側端側に配設されており、
前記時間表示は、前記目盛表示の第１側端側と反対側の第２側端側に配設されていると好適である。
【００１１】
上記構成によれば、時間表示と容量表示との誤認を防ぎやすくすることができる。
【図面の簡単な説明】
【００１２】
【図１】本発明の実施の形態に係る電気ケトルのケトル本体の外観斜視図である。
【図２】本発明の実施の形態に係る電気ケトルのケトル本体の縦断面図である。
【発明を実施するための形態】
【００１３】
＜本発明の実施の形態に係る電気ケトルの構成＞
本発明の実施の形態に係る電気ケトル１００は、主に、ケトル本体２００（図１参照）および電源台（図示せず）から構成される。なお、ケトル本体２００は、電源台に着脱自在に載置される。電気ケトル１００の使用者は、お湯を沸かしたいときにケトル本体２００を電源台に載置し、お湯を使用するときにケトル本体２００を電源台から取り外すことができる。ケトル本体２００は、図１および図２に示されるように、主に、本体ユニット３００および蓋ユニット２５０から構成されている。なお、蓋ユニット２５０は、本体ユニット３００に着脱自在に装着されている。電気ケトル１００の使用者は、お湯を沸かすための水等を電気ケトル内の液体容器３２１（図２参照）に入れたいときにロックレバー機構２５５（後述）を解除状態にして本体ユニット３００から蓋ユニット２５０を取り外し、お湯を沸かす前に蓋ユニット２５０を本体ユニット３００に装着する。以下、本体ユニット３００、蓋ユニット２５０および電源台について詳述する。
【００１４】
１．本体ユニット
本体ユニット３００は、図１および図２に示されるように、主に、容器本体３１０および取っ手４００から構成されている。以下、容器本体３１０および取っ手４００について詳述する。
【００１５】
（１）容器本体
容器本体３１０は、図２に示されるように、主に、容器ユニット３２０、外装体３３０、電装ユニット３４０、温度過昇防止装置３５０から構成されている。以下、これらの構成要素について詳述する。
【００１６】
（１−１）容器ユニット
容器ユニット３２０は、図２に示されるように、主に、液体容器３２１、プリントヒータ３２２、支持金具（図示せず）から構成されている。
【００１７】
液体容器３２１は、図２に示されるように、側壁部３２１Ａ、底壁部３２１Ｂおよびフランジ部３２１Ｃから形成されている。側壁部３２１Ａは、ステンレス鋼製の円筒状部位である。そして、図２に示されるように、この側壁部３２１Ａの内周面には目盛表示Ｄｌ、容量表示Ｄｖおよび時間表示Ｄｔが設けられている。なお、ここでは、これらの表示Ｄｌ，Ｄｖ，Ｄｔはプリントされている。目盛表示Ｄｌは、液体容器３２１に注がれた液体の体積を示す表示であって、図２に示されるように線と点の組合せで構成されている。そして、図２に示されるように、これらの目盛表示Ｄｌのうち線表示の右側端付近に容量表示Ｄｖが配されており、線表示の左側端付近に時間表示Ｄｔが配されている。容量表示Ｄｖは、各目盛表示Ｄｉの線表示に対応する液体の容量を示す表示であって、ここでは単位をｍＬ（ミリリットル）としたときの数値のみが表示されている（すなわち、ここでは単位が省略されている。）。時間表示Ｄｔは、各容量表示Ｄｖに対応する容量の特定の液体（例えば水等）をプリントヒータ３２２によって沸騰状態（特許請求の範囲の「第１状態」の一例）にするまでにかかる目安の時間を示す表示であって、ここでは単位を分（ｍｉｎ）としたときの値と共にその単位が表示されている。また、図２に示される通り、時間表示Ｄｔは、容量表示Ｄｖよりも小さい文字で表示されている。底壁３２１Ｂは、ステンレス鋼の円盤部位である。フランジ３２１Ｃは、円環体であって、図２に示されるように側壁部３２１Ａの上端から外側に向かって延びている。また、この液体容器３２１の内周面には、フッ素樹脂等の耐蝕性樹脂（図示せず）が塗装されている。
【００１８】
プリントヒータ３２２は、主に、加熱線（図示せず）および絶縁被覆層（図示せず）から構成されており、図２に示されるように液体容器３２１の底壁部３２１Ｂの下側面に接すようにその底壁部３２１Ｂに固定されている。加熱線は、液体容器３２１の底壁部３２１Ｂの下面側に設けられる絶縁体層上に、支持金具を避けるようにして印刷されている。そして、この加熱線は端子接続部分（図示せず）を除いて絶縁被覆層で覆われており、端子接続部分には電装ユニット３４０の接続端子（図示せず）が接触している。
【００１９】
支持金具は、液体容器３２１の底壁部３２１Ｂに電装ユニット３４０や温度過昇防止装置３５０を取り付けると共に、外装体３３０の底壁部材３３３（後述）に対して液体容器３２１を固定するためのものであって、液体容器３２１の底壁部３２１Ｂの複数箇所から下方に向かって延びている。
【００２０】
（１−２）外装体
外装体３３０は、図２に示されるように、側壁部材３３１、底壁部材３３３および肩部材３３５から構成されている。
【００２１】
側壁部材３３１は、円筒形状の金属部材であって、本体ユニット３００の外装体としての役目を担う。
【００２２】
底壁部材３３３は、略円椀形状の樹脂部材であって、図２に示されるように、容器本体３１０の底側を覆っている。
【００２３】
肩部材３３５は、略円筒形状の樹脂部材であって、図２に示されるように、主に、本体部３３５Ａおよび注液口部３３５Ｂから形成されている。この本体部３３５Ａは、図２に示されるように、後述するロックレバー機構２５５（図１参照）のロックレバー２５５Ａの爪部（図示せず）を収容することができる空間を形成している。そして、蓋ユニット２５０が本体ユニット３００に装着されている状態において、この空間には、その爪部が収容されている。注液口部３３５Ｂは、肩部材３３５の正面側に配設されている。
【００２４】
（１−３）電装ユニット
電装ユニット３４０は、図２に示されるように、主に、支持台（図示せず）、電気回路形成用金属板（図示せず）、電源台接続用接続端子部（図示せず）、一対のバイメタル型サーモスタット部（図示せず）および電源台接続ボスＭＥから構成されている。
【００２５】
電装ユニット３４０は、支持金具を介して支持台に固定されている。支持台には、電気回路形成用金属板により電気回路が形成されている。なお、この電気回路には、電源台接続用端子部やバイメタル型サーモスタット部が組み込まれている。すなわち、ケトル本体２００が電源台から取り外されたり、バイメタル型サーモスタット部が開状態となったりすると、この電気回路は開状態となる。
【００２６】
バイメタル型サーモスタット部は、空焚きを防止するためのものであって、主に、接点（図示せず）、接点開放機構（図示せず）およびバイメタル（図示せず）から構成されている。なお、バイメタル型サーモスタット部は、２つ共に略中央部分の外周寄りに配置されている。バイメタルは、２つ共に略中央部分の外周寄りの加熱線上に絶縁被覆層を介して配置されている。また、このバイメタルは、常温においてプリントヒータ３２２に接するように配設されている。接点開放機構は、レバー機構である。この接点開放機構では、通常、レバー（図示せず）の先端部分が接点保持部材（図示せず）の直下に位置しており、バイメタルが規定温度以上の温度まで加熱されると、バイメタルの変形によってレバーの先端部分が下方に押し下げられ、その結果、レバーの先端部分により接点保持部材が下方に押し下げられて接点が開放される。
【００２７】
電源台接続ボスＭＥは、電源台のボス受け部に着脱自在に嵌め込まれる。なお、電源台接続ボスＭＥが電源台のボス受け部に嵌め込まれると、電源台接続ボスＭＥに配設される２つの電源台接続用接続端子部と、電源台のボス受け部に配設される２つの接続端子部とがそれぞれ接続され、その結果、電源供給回路が形成される。すなわち、かかる場合において電源台が外部電源に接続されていれば、ケトル本体２００内部の電気回路に通電が可能な状態、すなわちプリントヒータ３２２が加熱され得る状態となる。
【００２８】
（１−４）温度過昇防止装置
温度過昇防止装置３５０は、主に、本体部材（図示せず）、ワンショット型サーモスタット（図示せず）およびコイルスプリング（図示せず）から構成されている。
【００２９】
本体部材は、樹脂成形品であって、ワンショット型サーモスタットがコイルスプリングにより上方に付勢された状態となるようにワンショット型サーモスタットおよびコイルスプリングを収容している。また、このワンショット型サーモスタットの上面の長手方向中央部分には、感熱部（図示せず）が上方に向かって突出するように固定されている。すなわち、この感熱部は、コイルスプリングの付勢力によってプリントヒータの加熱線に絶縁被覆層を介して押し付けられている。このため、プリントヒータの加熱により液体容器３２１の底壁３２１Ｂが変形したとしても感熱部は常にプリントヒータ３２２の加熱線上の絶縁被覆層に接触することができる。
【００３０】
（２）取っ手
取っ手４００は、使用者がケトル本体２００を持ち運ぶ際に使用者によって把持されるものであって、図１および図２に示されるように、本体ユニット３００の後方に配設されている。そして、この取っ手４００は、図２に示されるように、主に、外装体４１０、電源スイッチ機構４２０および中間蒸気通路ＰＶＭから構成されている。
【００３１】
外装体４１０は、側面視において略鉤型の筒体であって（図２参照）、下端部分が自由端になっており、上端部分が容器本体３１０の側壁部材３３１の背面側上端部に結合されている。なお、外装体４１０の上端部分は、図２に示されるように、容器本体３１０の上側に張り出しており、蓋ユニット２５０が本体ユニット３００に装着されている状態において蓋ユニット２５０と対向している。そして、この外装体４１０の内部には、中間蒸気通路ＰＶＭが形成されていると共に電源スイッチ機構４２０が配設されている。また、この外装体４１０の後方の上端部分には、電源ボタン４２１を露出させるための開口が形成されている。
【００３２】
電源スイッチ機構４２０は、図２に示されるように、主に、電源ボタン４２１、レバー型リフト機構４２２、板バネ部（図示せず）、可動接点（図示せず）、固定接点（図示せず）、押し棒（図示せず）、バイメタル（図示せず）、収容部材４２５、区画パッキン（図示せず）およびネオンランプ４２６から構成されている。なお、この電源スイッチ機構４２０は、電気線を介して本体ユニット３００の電装ユニット３４０に接続されており、一つの電気回路を構成している。電源ボタン４２１は、透明の円柱体であって、前後方向に搖動に可能に収容部材４２５の上端部に軸支されていると共に外装体４１０の上端部分に露出している。そして、この電源ボタン４２１は、レバー型リフト機構４２２のアーム部（図示せず）に係合されている。レバー型リフト機構４２２において、アーム部が前方に移動させられるとレバー体の先端部が支点（図示せず）を軸として下方に回動し、アーム部が後方に移動させられるとレバー体の先端部が支点を軸として上方に回動する。板バネ部は、レバー体の先端部に連結されている。可動接点は、板バネ部を介してレバー体に連結されている。固定接点は、可動接点に対向する位置に固定配置されている。押し棒は、レバー型リフト機構４２２の底板に形成される貫通孔に挿通されている。なお、この貫通孔は、レバー体の直下に形成されている。また、この貫通孔の長さは、押し棒よりも短い。バイメタルは、レバー型リフト機構４２２の底板（図示せず）のレバー体配置側の反対側において押し棒と対向するように配置されている。そして、このバイメタルは、規定の温度に達すると、上方に反るように変形する。なお、本発明の実施の形態において、このバイメタルの規定温度は、およそ１００℃である。収容部材４２５には、レバー型リフト機構４２２、固定接点、可動接点、板バネ部、押し棒、バイメタルおよび区画パッキンが収容されている。そして、この収容部材４２５は、区画パッキンによって露出空間と機構収容空間に区画されている。露出空間は中間蒸気通路ＰＶＭと連通しており、機構収容空間は中間蒸気通路ＰＶＭから隔離されている。なお、本実施の形態において、露出空間にはバイメタルが配置され、接点形成空間にはレバー型リフト機構４２２、固定接点、可動接点および板バネ部が配置されている。すなわち、水蒸気が中間蒸気通路ＰＶＭを通過する際、バイメタル４２４は水蒸気に曝されるが、レバー型リフト機構４２２、固定接点、可動接点および板バネ部が水蒸気に曝されることはない。
【００３３】
すなわち、使用者によって電源ボタン４２１が後方に押されると、それに連動してレバー型リフト機構４２２のアーム部が前方に押し出され、その結果、レバー体の先端部が下方に回動する。その結果、レバー体に連結される可動接点が下方に移動して固定接点に接触し、接点が閉じると共にレバー体によって押し棒がバイメタル側に押し出される。一方、押し棒がバイメタル側に押し出された状態でバイメタルが水蒸気に曝されて規定の温度に達すると、バイメタルが押し棒をレバー体側に押し出す。その結果、レバー体が上方に回動して固定接点から可動接点が離間すると共にアーム部が後方に移動させられ、さらに電源ボタン４２１が前方に押し戻される。
【００３４】
ネオンランプ４２６は、図２に示されるように、電源ボタン４２１の近傍に配置されている。そして、このネオンランプ４２６は、電源スイッチ機構４２０およびバイメタル型サーモスタット部の接点が閉じられた状態で点灯し、電源スイッチ機構４２０やバイメタル型サーモスタット部の接点が開放されたり、温度過昇防止装置３５０が動作したりすると消灯する。なお、上述の通り、電源ボタン４２１が透明体であるため、ネオンランプ４２６の点灯・消灯は使用者によって視認される。
【００３５】
中間蒸気通路ＰＶＭは、図２に示されるように、取っ手４００の上端部分注ぎ口側に形成されている。この中間蒸気通路ＰＶＭは、本体ユニット３００に蓋ユニット２５０が装着されている状態で、蓋ユニット２５０の第１蒸気通路ＰＶ１（後述）および第２蒸気通路ＰＶ２（後述）（図２参照）に連通する。すなわち、本体ユニット３００に蓋ユニット２５０が装着されている状態でプリントヒータ３２２によって液体容器３２１内の液体が加熱されると、その液体は、沸騰して蒸気になり、第１蒸気通路ＰＶ１、中間蒸気通路ＰＶＭおよび第２蒸気通路ＰＶ２を通って外部空間に排出される。また、この中間蒸気通路ＰＶＭには、上述の通り、バイメタルが露出されている。すなわち、蒸気が中間蒸気通路ＰＶＭに至ると、その蒸気の熱によってバイメタルが加熱され、バイメタルの温度が規定温度に達すると、上述の通り、固定接点から可動接点が離間し、プリントヒータ３２２への通電が遮断される。なお、バイメタルは、一定温度まで冷却されると、自己復帰する。
【００３６】
２．蓋ユニット
蓋ユニット２５０は、本体ユニット３００の上方を覆う着脱自在の略円柱形の蓋体であって、図１および図２に示されるように、主に、外装体２５１、注液通路ＰＬ、注液通路開閉機構２５３、第１蒸気通路ＰＶ１、第２蒸気通路ＰＶ２およびロックレバー機構２５５から構成されている。
【００３７】
外装体２５１は、図２に示されるように、主に、上側パネル２５１Ａおよび下側パネル２５１Ｂから構成されている。上側パネル２５１Ａには、図１および図２に示されるように、ロックレバー２５５Ａおよび開閉ボタン２５３Ａを外部に露出させるための開口が形成されている。そして、下側パネル２５１Ｂには注液通路ＰＬおよび第１蒸気通路ＰＶ１が形成されている。また、上側パネル２５１Ａと下側パネル２５１Ｂとの間の空間には、第２蒸気通路ＰＶ２が形成されている。なお、注液通路ＰＬは、注液通路開閉機構２５３によって開閉される。
【００３８】
注液通路開閉機構２５３は、注液通路ＰＬを開閉するための機構であって、図２に示されるように、主に、開閉ボタン２５３Ａ、コイルスプリング２５３Ｂ、開閉弁２５３Ｃおよび係止機構（図示せず）から構成されている。なお、注液通路ＰＬは下側パネル２５１Ｂの注ぎ口側に形成されており、注液通路開閉機構２５３は、主に、上側パネル２５１Ａと下側パネル２５１Ｂとの間の空間の注ぎ口側に配設されている。開閉ボタン２５３Ａは、電気ケトル１００の使用者によって操作される略円柱状の部材であって、上述の通り、外装体２５１の上側パネル２５１Ａに露出している。また、この開閉ボタン２５３Ａは、図２に示されるように、開閉弁２５３Ｃに連結されている。また、この開閉ボタン２５３Ａは、コイルスプリング２５３Ｂによって上方に向かって付勢されている。そして、電気ケトル１００の使用者によってコイルスプリング２５３Ｂの付勢力に抗して開閉ボタン２５３Ａが下方に向かって押圧されると、その押圧動作に連動して開閉弁２５３Ｃが下に押し下げられ、注液通路ＰＬが開放される。なお、このとき、係止機構によって開閉弁２５３Ｃの開状態が維持される。そして、使用者は、このように注液通路ＰＬが開放された状態でケトル本体２００を注ぎ口側に傾けることにより、液体容器３２１内部の液体を湯飲みや茶碗等の他の容器等にその液体を注ぐことができる。その後、その使用者によって開閉ボタン２５３Ａがもう一度押圧されると、係止機構による開閉弁２５３Ｃの係止が解除され、コイルスプリング２５３Ｂの付勢力によって開閉弁２５３Ｃおよび開閉ボタン２５３Ａが上方に押し戻され、開閉弁２５３Ｃにより注液通路ＰＬが閉状態とされる。このとき、使用者がケトル本体２００を注ぎ口側に傾けても、液体容器３２１内部の液体は、開閉弁２５３Ｃによって堰き止められる。
【００３９】
第１蒸気通路ＰＶ１は、液体容器３２１の内部空間と、取っ手４００に設けられる中間蒸気通路ＰＶＭとを連通させる通路であって、下側パネル２５１Ｂの取っ手側に配設されている。なお、この第１蒸気通路ＰＶ１は、注液通路ＰＬとは独立した通路である。一方、第２蒸気通路ＰＶ２は、上記中間蒸気通路ＰＶＭと外部空間とを連通される通路であって、上側パネル２５１Ａと下側パネル２５１Ｂとの間の空間において取っ手側から注ぎ口側に向かって形成されている。なお、この第２蒸気通路ＰＶ２も、第１蒸気通路ＰＶ１と同様、注液通路ＰＬとは独立した通路である。すなわち、液体容器３２１の内部の液体が加熱されることによって生じる蒸気は、第１蒸気通路ＰＶ１、中間蒸気通路ＰＶＭおよび第２蒸気通路ＰＶ２を順に通って注液口部３３５Ｂから外部空間に排出されることになる。
【００４０】
ロックレバー機構２５５は、蓋ユニット２５０を本体ユニット３００に係止するための機構であって、図１および図２に示されるように、主に、一対のロックレバー２５５Ａおよびコイルスプリング（図示せず）から構成されている。ロックレバー２５５Ａは、図１に示されるように、左右方向に出没可能に上側パネル２５１Ａに収容されている。そして、このロックレバー２５５Ａは、上側パネル２５１Ａにおいて、コイルスプリングを挟んで互いに対向するように配設されている。すなわち、一対のロックレバー２５５Ａは、コイルスプリングにより左右外方に向かって付勢されている。このため、蓋ユニット２５０が本体ユニット３００に装着されている状態では、肩部材３３５の本体部３３５Ａに形成されている空間にロックレバー２５５Ａの係止爪（図示せず）が収容され、その結果、蓋ユニット２５０が本体ユニット３００に係止されている。そして、使用者が本体ユニット３００から蓋ユニット２５０を取り外したい場合、使用者はコイルスプリングの付勢力に抗して両側のロックレバー２５５Ａを中央に寄せるように挟み込んで、肩部材３３５の本体部３３５Ａに形成されている空間から係止爪を引き抜き、そのままの状態で蓋ユニット２５０を上方に引き上げる。この結果、本体ユニット３００から蓋ユニット２５０が取り外される。
【００４１】
３．電源台
電源台は、主に、台座（図示せず）、ボス受け部（図示せず）、接続端子部（図示せず）、下側カバー（図示せず）、電源コード（図示せず）および電源プラグ（図示せず）から構成されている。
【００４２】
台座は、略円盤状の部材であって、電源台の上側に配置されている。
【００４３】
ボス受け部は、円筒体であって、台座の中央部から上方に向かって突出している。なお、このボス受け部には、上述の通り、本体ユニット３００に配設されている電源台接続ボスＭＥを着脱自在に受け入れることができる。
【００４４】
接続端子部は、ボス受け部に配設されており、上述の通り、ケトル本体２００が電源台に載置された状態において、電源台接続ボスＭＥに配設される２つの電源台接続用接続端子部と接続される。また、この接続端子部には、電源コードが接続されている。また、その電源コードの先端には、外部電源接続用の電源プラグが取り付けられている。
【００４５】
下側カバーは、略円盤状の部材であって、電源台の下側を覆っている。
【００４６】
＜本発明の実施の形態に係る電気ケトルの特徴＞
（１）
本発明の実施の形態に係る電気ケトル１００では、液体容器３２１の側壁部３２１Ａに「各表示容量に対応する容量の液体をプリントヒータ３２２により沸騰状態にするまでにかかる目安の時間Ｄｔ」がプリントされている。このため、この電気ケトル１００の使用者は、液体を沸騰状態にするまでに必要な時間を認識することができる。
【００４７】
（２）
本発明の実施の形態に係る電気ケトル１００では、液体容器３２１の側壁部３２１Ａの内周面にプリントされている時間表示Ｄｔの文字が、容量表示Ｄｖよりも小さい文字とされている。このため、この電気ケトル１００では、時間表示Ｄｔと容量表示Ｄｖとの誤認を防ぎやすくすることができる。
【００４８】
＜変形例＞
（Ａ）
先の実施の形態に係る電気ケトル１００では二重壁容器の内容器である液体容器３２１の側壁部３２１Ａの内周面に目盛表示Ｄｌ、容量表示Ｄｖおよび時間表示Ｄｔが設けられたが、これらの表示Ｄｌ，Ｄｖ，Ｄｔは単壁容器に適用されてもよい。また、容器が窓付き容器である場合は、その窓や窓近辺に目盛表示Ｄｌ、容量表示Ｄｖおよび時間表示Ｄｔを配してもよい。
【００４９】
（Ｂ）
先の実施の形態に係る電気ケトル１００における液体容器３２１の側壁部３２１Ａの内周面には目盛表示Ｄｌ、容量表示Ｄｖおよび時間表示Ｄｔがプリントされていたが、これらの表示Ｄｌ，Ｄｖ，Ｄｔは刻印されていてもよい。また、これらの表示Ｄｌ，Ｄｖ，Ｄｔの一部が刻印され、他がプリントされていてもよい。
【００５０】
（Ｃ）
先の実施の形態に係る電気ケトル１００の液体容器３２１の時間表示Ｄｔには液体が蒸気となるまでにかかる目安の時間（およその時間）が示されていたが、液体が蒸気となるまでにかかる正確の時間が示されていてもよい。
【００５１】
（Ｄ）
先の実施の形態では、第１状態として沸騰状態を例示したが、これに限られず、第１状態は、液体が沸騰する前の特定温度となる状態であってもよい。つまり、先の実施の形態に係る電気ケトル１００の液体容器３２１の時間表示Ｄｔには液体が沸騰状態となるまでにかかる時間が示されていたが、液体が特定温度になるまでにかかる時間が示されていてもよい。
【００５２】
（Ｅ）
先の実施の形態に係る電気ケトル１００の液体容器３２１には複数の液面に対して各種表示Ｄｌ，Ｄｖ，Ｄｔが示されていたが、最大液面に関する表示Ｄｌ，Ｄｖ，Ｄｔのみが示されていてもよい。
【００５３】
（Ｆ）
先の実施の形態に係る電気ケトル１００の液体容器３２１には目盛表示Ｄｌが示されていたが、目盛表示Ｄｌは省略されてもよい。すなわち、液体容器３２１の側壁部３２１Ａの内周面に容量表示Ｄｖおよび時間表示Ｄｔのみが示されていてもよい。かかる場合、容量表示Ｄｖおよび時間表示Ｄｔの少なくとも一方が線のように細く示されていてもよい。
【００５４】
（Ｇ）
先の実施の形態では本願発明が「液体容器３２１を内蔵する電気ケトル１００」に適用されたが、本願発明は電気ポットや、「液体容器が外付けされる加熱装置」等に適用されてもよい。
【００５５】
（Ｈ）
先の実施の形態に係る電気ケトル１００の液体容器３２１では時間表示Ｄｔの文字が容量表示Ｄｖよりも小さい文字とされていたが、時間表示Ｄｔの文字が容量表示Ｄｖよりも小さい文字とされてもよい。
【００５６】
（Ｉ）
先の実施の形態に係る電気ケトル１００の液体容器３２１では時間表示Ｄｔの単位が分（ｍｉｎ）であったが時間表示Ｄｔの単位は、例えば、秒（ｓｅｃ）や時間（ｈｏｕｒ）等であってもよい。
【００５７】
（Ｊ）
先の実施の形態に係る電気ケトル１００の液体容器３２１では容量表示Ｄｖの単位がｍＬであったが、容量表示Ｄｖの単位は、例えば、ｄＬ（デシリットル）や、Ｌ（リットル）、ｍｍ３、ｃｍ３、ｍ３等であってもよい。
【００５８】
（Ｋ）
先の実施の形態に係る電気ケトル１００の液体容器３２１では時間表示Ｄｔと容量表示Ｄｖとで文字の大きさを変えることにより時間表示Ｄｔと容量表示Ｄｖを識別しやすくしていたが、文字の幅や、全体的な高さ、色、字体、太さ、種別（例えば、漢数字・算用数字・ギリシア数字等）を変えることにより時間表示Ｄｔと容量表示Ｄｖを識別しやすくしてもよい。
【００５９】
（Ｌ）
先の実施の形態に係る電気ケトル１００では加熱源としてプリントヒータ３２２が採用されたが、プリントヒータ３２２に代えてシーズヒータや高周波加熱装置等の他の加熱源が採用されてもよい。
【００６０】
（Ｍ）
先の実施の形態に係る電気ケトル１００では容量表示Ｄｖに単位が付されていなかったが、容量表示Ｄｖに単位が付されていてもよい。
【００６１】
（備考）
なお、上記変形例（Ａ）〜（Ｍ）は各例単独で適用されてもよいし、２例が組み合わされて適用されてもよいし、３例が組み合わされて適用されてもよいし、４例が組み合わされて適用されてもよいし、５例が組み合わされて適用されてもよいし、６例が組み合わされて適用されてもよいし、７例が組み合わされて適用されてもよいし、８例が組み合わされて適用されてもよいし、９例が組み合わされて適用されてもよいし、１０例が組み合わされて適用されてもよいし、１１例が組み合わされて適用されてもよいし、１２例が組み合わされて適用されてもよいし、１３例全てが組み合わされて適用されてもよい。
【符号の説明】
【００６２】
１００      ：電気ケトル（容器付き加熱機器）
３２１      ：液体容器（容器）
３２２      ：プリントヒータ（加熱源）
Ｄｖ        ：容量表示
Ｄｔ        ：時間表示
Ｄｌ        ：目盛表示
【図１】
2020130461.tif 000003
【図２】
2020130461.tif 000004